(57)【特許請求の範囲】
【請求項１】
コンピュータ装置が拡張可能なディスプレイを展開するための、コンピュータにより実施される方法であって、
前記拡張可能なディスプレイは第１の方向に拡縮可能な第１のセグメントと第２の方向に拡縮可能な第２のセグメントとを備え、
前記方法は、
前記コンピュータ装置の前記拡張可能なディスプレイを活動化させるための第１の指令を前記コンピュータ装置で受信することを含み、
前記第１の指令に応答して、前記拡張可能なディスプレイの前記第１のセグメントが前記コンピュータ装置のケースの前記第１の方向における長さよりも大きい長さに拡張されながら、前記第１の方向に沿って前記拡張可能なディスプレイを前記コンピュータ装置のケースの内側から外側に拡張させることを含み、
前記第１の指令に応答して、前記拡張可能なディスプレイの第１のセグメントが前記第１の方向に拡張されながら、当該拡張可能なディスプレイの前記第２のセグメントが前記コンピュータ装置のケースの前記第２の方向における長さよりも大きい長さに拡張するよう、前記拡張可能なディスプレイを前記第２の方向にも沿って拡張させることを含み、前記第２の方向は、前記第１の方向に対して直交し、
前記拡張可能なディスプレイを非活動化させるための第２の指令を前記コンピュータ装置で受信することを含み、
前記第２の指令に応答して、前記拡張可能なディスプレイを非活動化させ、前記コンピュータ装置のケース内に当該拡張可能なディスプレイを取り込む際に、前記第１の方向に沿って前記拡張可能なディスプレイの前記第１のセグメントを前記ケース内に収縮させながら、前記第２の方向にも沿って前記拡張可能なディスプレイの第２のセグメントを前記ケース内に収縮させることを含む、
方法。
【請求項２】
前記拡張可能なディスプレイの少なくとも一部に表示するための画像を生成することをさらに含み、前記表示画像の前記第１の方向に沿った長さが、前記コンピュータ装置の前記第１の方向の前記ケースの前記長さよりも大きい、請求項１に記載の方法。
【請求項３】
前記拡張可能なディスプレイが、有機発光ダイオード（ＯＬＥＤ）のマトリックスの画面を含み、前記マトリックスが、表示画像を表示するように構成されている、請求項１に記載の方法。
【請求項４】
前記第１の指令に応答して、前記拡張可能なディスプレイのフレームのセグメントを繰り出すことをさらに含み、前記セグメントが、前記コンピュータ装置の前記ケースから繰り出す、請求項１に記載の方法。
【請求項５】
前記第１の指令に応答して、前記拡張可能なディスプレイの前記第１のセグメントとしてのフレームを伸縮することをさらに含み、前記フレームが、前記コンピュータ装置の前記ケースから前記第１の方向に沿って伸縮する、請求項１に記載の方法。
【請求項６】
前記第１の方向に沿って前記拡張可能なディスプレイを拡張させることは、前記拡張可能なディスプレイの前記ケースの高さよりも大きい高さに前記拡張可能なディスプレイを拡張させることを含み、前記第２の方向に沿って前記拡張可能なディスプレイを拡張させることは、前記拡張可能なディスプレイの前記ケースの幅よりも広い幅に前記拡張可能なディスプレイを拡張させることを含む、請求項１に記載の方法。
【請求項７】
前記第１の指令に応答して、前記拡張可能なディスプレイの前記第１のセグメントとしての第１のフレームを伸縮することをさらに含み、前記第１の方向に沿って向いた当該第１のフレームが、前記コンピュータ装置の前記ケースから前記第１の方向に沿って伸縮し、前記第１の方向に直交する前記第２の方向に沿って向いた前記第２のセグメントとしての第２のフレームが、前記第２の方向に沿って伸縮する、請求項１に記載の方法。
【請求項８】
前記コンピュータ装置の前記拡張可能なディスプレイを活動化させるための前記第１の指令が、音声認識を用いて受信される、請求項１に記載の方法。
【請求項９】
前記コンピュータ装置の前記拡張可能なディスプレイを活動化および非活動化させるための前記第２の指令が、表示画像を表示するように構成されたＯＬＥＤを含むタッチ感知画面を用いて受信される、請求項１に記載の方法。
【請求項１０】
前記コンピュータ装置の前記拡張可能なディスプレイを活動化させるための前記第１の指令が、タッチ感知画面を用いて受信される、請求項１に記載の方法。
【請求項１１】
コンピュータ装置が拡張可能なディスプレイの展開をコントロールするためのコンピュータ実行可能命令が符号化されて記憶されたコンピュータ可読媒体であって、
前記拡張可能なディスプレイは第１の方向に拡縮可能な第１のセグメントと第２の方向に拡縮可能な第２のセグメントとを備え、
前記命令は、
前記拡張可能なディスプレイを活動化させるよう前記コンピュータ装置によって受信される第１の指令に応答して、前記拡張可能なディスプレイの前記第１のセグメントが前記コンピュータ装置のケースの前記第１の方向の長さよりも大きい長さに拡張されながら、第１の方向に沿って前記拡張可能なディスプレイを前記コンピュータ装置のケースの内側から外側に拡張させることを含み、
前記第１の指令に応答して、前記拡張可能なディスプレイの第１のセグメントが前記第１の方向に拡張されながら、当該拡張可能なディスプレイの前記第２のセグメントが前記コンピュータ装置のケース前記第２の方向における長さよりも大きい長さに拡張するよう、前記拡張可能なディスプレイを前記第２の方向にも沿って拡張させることを含み、前記第２の方向は、前記第１の方向に対して直交し、
前記拡張可能なディスプレイの少なくとも一部に表示するための画像を生成することを含み、前記表示画像の前記第１の方向に沿う長さは、前記コンピュータ装置の前記第１の方向における前記ケースの前記長さよりも大きく、前記表示画像の前記第２の方向に沿う長さは、前記コンピュータ装置の前記第２の方向における前記ケースの長さよりも大きく、
前記拡張可能なディスプレイを非活動化させるよう前記コンピュータ装置によって受信される第２の指令に応答して、前記コンピュータ装置の前記拡張可能なディスプレイを非活動化させ、前記コンピュータ装置のケース内に当該拡張可能なディスプレイを取り込む際に、前記第１の方向に沿って前記拡張可能なディスプレイの前記第１のセグメントを前記ケース内に収縮させながら、前記前記第２の方向にも沿って前記コンピュータ装置の前記拡張可能なディスプレイの第２のセグメントを前記ケース内に収縮させることを含む、
コンピュータ可読媒体。
【請求項１２】
前記画像を表示するための前記命令が、前記表示画像を表示するように構成された有機発光ダイオード（ＯＬＥＤ）のマトリックスを駆動するための命令を含む、請求項１１に記載のコンピュータ可読媒体。
【請求項１３】
前記拡張可能なディスプレイを引き込むための前記命令が、前記拡張可能なディスプレの前記第１のセグメント及び第２のセグメントとしてのフレームを折畳むための命令を含む、請求項１１に記載のコンピュータ可読媒体。
【請求項１４】
前記拡張可能なディスプレイを鉛直方向に広げるための前記命令が、前記拡張可能なディスプレイの前記第１のセグメント及び第２のセグメントとしてのフレームを伸縮するための命令を含む、請求項１１に記載のコンピュータ可読媒体。
【請求項１５】
前記第１の方向に沿って前記拡張可能なディスプレイの前記第１のセグメントを拡張させることは、前記拡張可能なディスプレイの前記ケースの高さよりも大きい高さに前記拡張可能なディスプレイを拡張させる命令を含み、前記第２の方向にも沿って前記拡張可能なディスプレイの前記第２のセグメントを拡張させることは、前記拡張可能なディスプレイの前記ケースの幅よりも広い幅に前記拡張可能なディスプレイを拡張させる命令を含む、請求項１４に記載のコンピュータ可読媒体。
【請求項１６】
前記コンピュータ装置の前記拡張可能なディスプレイを活動化させるための前記指令を受信するための音声認識命令をさらに含む、請求項１１に記載のコンピュータ可読媒体。
【請求項１７】
タッチ感知画面から前記コンピュータ装置の前記拡張可能なディスプレイを活動化させるための前記指令を受信するための命令をさらに含む、請求項１１に記載のコンピュータ可読媒体。
【請求項１８】
前記表示画像を表示するための前記命令が、マルチメディアのコンテンツを再生および／または記録するための命令を含む、請求項１１に記載のコンピュータ可読媒体。
【請求項１９】
ケースを有するコンピュータ装置と、
拡張可能なディスプレイと、を備え、前記拡張可能なディスプレイが、前記コンピュータ装置の前記ケース内に納められている前記拡張可能なディスプレイを前記ケース外に展開するように構成可能であり、前記拡張可能なディスプレイは第１の方向に拡縮可能な第１のセグメントと第２の方向に拡縮可能な第２のセグメントとを備えるシステムであって、
前記コンピュータ装置の前記拡張可能なディスプレイを活動化させるよう前記コンピュータ装置によって受信される第１の指令に応答して、前記拡張可能なディスプレイの第１のセグメントが前記コンピュータ装置のケースの第１の方向における長さよりも大きい長さに拡張されながら、第１の方向に沿って前記拡張可能なディスプレイを前記コンピュータ装置のケースの内側から外側に拡張させることと、
前記第１の指令に応答して、前記拡張可能なディスプレイが前記第１の方向に拡張されながら、当該拡張可能なディスプレイの前記第２のセグメントが前記コンピュータ装置のケースの前記第２の方向における長さよりも大きい長さに拡張するよう、前記拡張可能なディスプレイを前記第２の方向にも沿って拡張させることを含み、前記第２の方向は、前記第１の方向に対して直交し、
前記拡張可能なディスプレイを非活動化させるための第２の指令を前記コンピュータ装置で受信することと、
前記拡張可能なディスプレイを非活動化させるよう前記コンピュータ装置によって受信される第２の指令に応答して、前記コンピュータ装置のケース内に当該拡張可能なディ数プレイを取り込む際、前記第１の方向に沿って前記拡張可能なディスプレイの前記第１のセグメントを前記ケース内に収縮させながら、前記第２の方向にも沿って前記コンピュータ装置の前記拡張可能なディスプレイの第２のセグメントを前記ケース内に収縮させることと、
を含む命令を実行するように構成される、前記システム。
【請求項２０】
前記コンピュータ装置が、前記拡張可能なディスプレイの少なくとも一部に表示するための画像を生成するための命令を実行するようにさらに構成され、前記表示画像の前記第１の方向に沿う長さが、前記コンピュータ装置の前記第１の方向における前記ケースの前記長さよりも大きく、前記表示画像の前記第２の方向に沿う長さは、前記コンピュータ装置の前記第２の方向における前記ケースの前記長さよりも大きい、請求項１９に記載のシステム。
【請求項２１】
前記拡張可能なディスプレイが、前記第１のセグメント及び第２のセグメントとして、チタン合金のレールを含むフレームを備える、請求項１９に記載のシステム。
【請求項２２】
前記第１の方向に沿って前記拡張可能なディスプレイを拡張させることは、前記拡張可能なディスプレイの前記ケースの高さよりも大きい高さに前記拡張可能なディスプレイを拡張させることを含み、前記第２の方向に沿って前記拡張可能なディスプレイを拡張させることは、前記拡張可能なディスプレイの前記ケースの幅よりも広い幅に前記拡張可能なディスプレイを拡張させることを含む、請求項１９に記載のシステム。
【発明の詳細な説明】
【技術分野】
【０００１】
本発明は一般に、ハンドヘルド電子装置または他の携帯電子装置と共に使用できるような折畳み式携帯ディスプレイを提供する技術に関する。
【背景技術】
【０００２】
コンピュータおよび構成部品の急速な小型化によって、非常に小さいがパワフルな携帯装置が開発されることになった。今では、多くの人が、電話、カレンダ、コンタクトオーガナイザ（ｃｏｎｔａｃｔｓ  ｏｒｇａｎｉｚｅｒ）、ｅメールクライアント、ウェブブラウザ、ワードプロセッサ、さらに表計算エディタとして働く小型ハンドヘルド装置を持ち歩く。しばしば、そのような装置は、比較的小型のディスプレイを用いて構成されている。
【発明の概要】
【発明が解決しようとする課題】
【０００３】
本発明の課題は、ディスプレイを納めるために使用されている比較的小さいフォームファクタと比べて、比較的大きいフォームファクタのディスプレイをユーザが使用することを可能にする方法、コンピュータ可読媒体、及びシステムを提供することである。
【課題を解決するための手段】
【０００４】
本開示は、ある実施形態を説明するに過ぎず、本開示の特徴は、添付の図面、および添付の特許請求の範囲と併せて、以下の詳細な説明から明らかになろう。図面は、ある実施形態を示すに過ぎず、したがって、特許請求の範囲の限定とみなされるべきではない。本開示は、添付の図面を使用することによって、追加の特異性および細部に関して説明する。
【図面の簡単な説明】
【０００５】
【図１】ある実施形態において使用され得る二層有機発光ダイオードの機能ブロック図である。
【図２】折畳み式携帯ディスプレイのいくつかの実施形態の正面図である。
【図３】図２に示す折畳み式携帯ディスプレイの側面図である。
【図４】図２に示す折畳み式携帯ディスプレイの上面図である。
【図５】開いた状態にある図２に示す折畳み式携帯ディスプレイの側面図である。
【図６】開いた状態にある図２に示す折畳み式携帯ディスプレイの正面図である。
【図７】折畳み式携帯ディスプレイの別の実施形態の正面図である。
【図８】図７に示す折畳み式携帯ディスプレイの側面図である。
【図９】図７に示す折畳み式携帯ディスプレイの上面図である。
【図１０】開いた状態にある図７に示す折畳み式携帯ディスプレイの側面図である。
【図１１】開いた状態にある図７に示す折畳み式携帯ディスプレイの正面図である。
【図１２】拡張可能な画面を展開するためのプロセスを概して示す動作流れ図である。
【図１３】図１に示す拡張可能な画面を展開するように構成されるコンピュータ製品を概して示す図である。
【図１４】折畳み式ディスプレイを展開するために構成されるコンピューティング装置１４００の一例を示すブロック図であり、本開示の少なくともいくつかの実施形態により全てが構成される。
【発明を実施するための形態】
【０００６】
以下の詳細な説明では、その一部を形成する添付図面の参照がなされる。添付図面では、文脈上別段の定めがない限り、典型的には、同様の符号は、同様の構成要素を特定する。詳細な説明および図面に記載した例示的な実施形態は、限定するものではない。本明細書に提示した対象の精神または範囲を逸脱することなく、他の実施形態を利用することができ、他の変更がなされてもよい。本明細書に全体的に記載すると共に、図に示した本開示の態様は、幅広い種類の異なる構成にアレンジ、置換、組み合わせ、および設計されてもよく、それらの全ては、明示的に検討され、本開示の一部をなすことが容易に理解されよう。
【０００７】
本開示には、とりわけ、表示システムに関連した方法、装置、コンピュータプログラム、およびシステムが描かれている。そのようなシステムの１つに関するある実施形態を、図に示すと共に以下説明する。多くの他の実施形態も考えられるが、時間とスペースの制限により、これらの実施形態の網羅的なリストを一文書中に含めることができない。したがって、特許請求の範囲の範囲内の他の実施形態は、本開示の教示から当業者に明らかになろう。
【０００８】
ハンドヘルド電子装置と共に使用できるような折畳み式携帯ディスプレイを提供するシステムを説明する。簡潔に述べると、いくつかの実施形態は、格納および／または収納を容易にするためにより小さいフォームファクタに折畳むおよび／または引き込むことができるディスプレイ画面を例示する。使用中のとき、ディスプレイは、十分使用可能なサイズおよび形状に広げることができる。このようにして、小型携帯装置は、容易に持ち歩くことができるが、それでもなお合理的なサイズのディスプレイ画面を備えることができる。
【０００９】
図１は、本開示による、ある実施形態において使用され得る二層有機発光ダイオード（ＯＬＥＤ）の機能ブロック図である。以下説明するように、多層ＯＬＥＤは、他の実施形態において使用することもできる。
【００１０】
ＯＬＥＤ（「発光ポリマー」および「有機エレクトロルミネッセンスデバイス」とも呼ばれることもあり得る）は、有機化合物の膜で構成される発光エレクトロルミネセンス層を有する任意の発光ダイオード（ＬＥＤ）であり得る。この層はポリマー物質を有し得、そのポリマー物質の上に適切な有機化合物を堆積できる。ＯＬＥＤは、簡単な「印刷」プロセスによってフラットキャリアに行列状に堆積され得る。結果として得られる画素マトリックスは、異なる色の光を発することができる。
【００１１】
そのようなシステムは、テレビ画面およびコンピュータディスプレイに使用することができる。そうしたシステムは、携帯電話やＰＤＡなどの小型の携帯システムの画面に使用することもでき、これらは、広告、ニュース配信、およびナビゲーションなどのために使用可能である。ＯＬＥＤは、大面積発光素子の形態の一般的な空間照明用の光源として使用することもできる。ＯＬＥＤは、点光源として一般に使用される無機固体ベースのＬＥＤよりも面積当たり少ない光を発し得る。
【００１２】
ＯＬＥＤディスプレイは、機能するためにバックライトを必要としない。したがって、ＯＬＥＤディスプレイは、バックライトを有するディスプレイよりも消費電力を少なくできる。（例えば）バッテリから電力供給されるとき、ＯＬＥＤディスプレイは、同等な大きさの液晶ディスプレイ（ＬＣＤ）よりも長く動作することができる。バックライトを使用しないとき、ＯＬＥＤディスプレイは、ＬＣＤパネルよりもずっと薄くすることができる。
【００１３】
典型的なＯＬＥＤは、発光層１２０、導電層１４０、基板１６０、ならびにアノード１５０およびカソード１１０の端子を含み得る。これらの層は、電気を通すことができる特別な有機分子および／またはポリマーで形成することができる。ＯＬＥＤに使用する有機分子の電導度（ｌｅｖｅｌｓ  ｏｆ  ｃｏｎｄｕｃｔｉｖｉｔｙ）は、絶縁体の電導度から導体の電導度の範囲に及ぶものであり得、「有機半導体」と呼ばれ得る。
【００１４】
多層ＯＬＥＤは、装置の効率を改善するために３層以上を有してもよい。これらの層の導電性に加えて、これらの層は、より段階的な電子プロフィール（ｍｏｒｅ  ｇｒａｄｕａｌ  ｅｌｅｃｔｒｏｎｉｃ  ｐｒｏｆｉｌｅ）を与えることによって電極での電荷注入を助け、または電荷が反対側の電極に到達し、浪費されるのを防ぐように選ぶことができる。
【００１５】
典型的には、アノード１５０がカソード１１０に対して正であるように、ＯＬＥＤ１００に電圧が印加され得る。この印加電圧によって、カソード１１０からアノード１５０へデバイスを通じて電子電流を流すことができる。したがって、カソード１１０は、発光層１２０に自由電子を与えることができる一方、アノード１５０は、導電層１４０から自由電子を回収することができる。言い換えれば、アノード１５０は、導電層１４０に「ホール」を与えることができる。
【００１６】
発光層１２０が負に帯電されると、導電層１４０は、正に帯電したホールを多く含むことになり得る。静電気力によって電子およびホールを互いに向けて動かし、再結合１３０における通り、そこで電子およびホールは再結合する。典型的には、有機半導体では、（無機半導体中の電子移動度に比べて）ホールが電子よりも移動しやすいので、再結合１３０は、発光層１２０寄りで起こり得る。再結合１３０によって、電子のエネルギー準位の低下を引き起こすことができ、このことは、可視光領域中の周波数を有する付随的な放射線発光を伴い得る。したがって、この層は、「発光」層と呼ばれ得る。
【００１７】
カソード１１０に対してアノード１５０が負の電位に下げられると、ＯＬＥＤ１００は、通常、発光しない。そのような順方向バイアス状態では、ホールはアノードへ移動し、電子はカソードへ移動する（そして互いから離れる）傾向があり、それによって再結合を妨げる傾向がある。
【００１８】
インジウムスズ酸化物が、アノード１５０の材料として使用されてもよい。インジウムスズ酸化物は、可視光に対して透明であると共に、ホールをアノード１５０のポリマー層に注入することを促進できる高い仕事関数を有し得る。アルミニウムおよびカルシウムなどの金属は、電子をカソード１１０のポリマー層に注入することを促進できる低い仕事関数を有し得るので、カソード１１０に使用することができる。
【００１９】
ＬＣＤが単純マトリックスＬＣＤおよびアクティブマトリックスＬＣＤに配置されるのと同様の仕方で、ＯＬＥＤは、単純マトリックスディスプレイおよびアクティブマトリックスディスプレイに分類することもできる。アクティブマトリックスＯＬＥＤ（ＡＭＯＬＥＤ）は、個々の画素のオンまたはオフを切り替えるために薄膜トランジスタのバックプレーンを使用することができ、したがって、単純マトリックスＯＬＥＤを使用するのと比べてより高い解像度およびより大きいサイズのディスプレイを可能にすることができる。
【００２０】
図２は、本開示により構成される、折畳み式携帯ディスプレイ（ＦＰＤ）のいくつかの実施形態の正面図である。ＦＰＤ２００は、ボタンを含むことができる正面を備えることができる。ボタンは、ユーザ作動式ボタンを用いて構築することができる。ボタンは、物理キーおよび／または（タッチ感知ディスプレイによって与えられるキーなどの）仮想キーであり得る。他のユーザインタフェース制御（音声認識など）を用いてこれらのキーによって与えられる機能を実現してもよい。フィードバックは、光、振動、および／またはスピーカを用いて与えることができる。したがって、ＦＰＤ２００は、マルチメディアの記録装置および／または再生装置として使用することができる。
【００２１】
アップボタン２１０を作動して（例えば、押し下げおよび解除して）、ＦＰＤ２００のケースから上方へ広げることができる（例えば、図５に関連して以下に示す）拡張可能なＯＬＥＤ画面をコントロールできる。ＯＬＥＤ画面は、例えば、折畳み式または伸縮式フレーム構造で構成することができる。ダウンボタン２２０を作動して、拡張可能なＯＬＥＤ画面をＦＰＤ２００のケースの中に引き込むことをコントロールできる。したがって、拡張可能なＯＬＥＤ画面は、アップボタン２１０およびダウンボタン２２０を用いて（完全に広げた状態から完全に引き込まれた状態まで及ぶ）ある範囲のうちのある割合にわたって広げること、および引き込むことができる。
【００２２】
図３は、本開示により構成される、図２に示す折畳み式携帯ディスプレイの側面図である。いくつかの実施形態では、ＦＰＤ３００は、ＦＰＤ３００の正面から外側へ突き出るアップボタン３１０およびダウンボタン３２０を含むことができる。ＦＰＤ３００のケース３３０は、内部電子機器、およびバッテリなどの携帯用電源を含むのに十分な奥行きがあり得る。
【００２３】
図４は、本開示により構成される、図２に示す折畳み式携帯ディスプレイの上面図である。いくつかの実施形態では、ＦＰＤ４００は、ＦＰＤ４００の正面から外側へ突き出るボタン４４０を含むことができる。ＦＰＤの上部は、スロット４１０を含むことができ、このスロット４１０から格納したＯＬＥＤを広げることができる。スロット４１０は、ＦＰＤのコンパートメント（５２０、後述する）を自動的に密閉することができる摺動式の扉４２０を有してもよく、ＯＬＥＤは、完全に引き込まれたときにこの中に納まる。拡張可能なＯＬＥＤ画面を支持するフレームの縁部が貫いて延在できる開口を与える穴４３０を使用することができる。フレームの縁部は、拡張可能なＯＬＥＤ画面が完全に引き込まれたときに穴を密閉するように配置され得る。摺動式の扉４２０は、穴４３０を密閉するために使用することができる。
【００２４】
図５は、本開示により構成される、開いた状態にある図２に示す折畳み式携帯ディスプレイの側面図である。ＦＰＤ５００は、広げた状態にあるＯＬＥＤ画面５１０を示して例示されている。いくつかの実施形態では、ＦＰＤ５００は、画面が引き込まれた状態にあるときにＯＬＥＤ画面５１０を納めるように配置されるコンパートメント５２０を含むことができる。ＯＬＥＤ画面５１０は、折畳む（および／またはスライドする）ように構成され得る垂直レール５３０（１本のレールが、側面図に示されている）を備えることができ、それによってＯＬＥＤ画面５１０は、コンパートメント５２０によってもたらされる比較的高い安全性を有して納めることができる。図６に後述するように、ＯＬＥＤは、ＦＰＤ５００の正面にわたって広がり得る可撓性の連続的な層に形成することができる。
【００２５】
図６は、本開示により構成される、開いた状態にある図２に示す折畳み式携帯ディスプレイの正面図である。ＯＬＥＤ画面６１０は、ＦＰＤ６００のケース６２０から完全に広げられているものとして示す。いくつかの実施形態では、ＯＬＥＤ画面６１０は、（図１に示すような）基板上に形成されるプラスチックＯＬＥＤの折畳み可能なシートを含むことができる。図６に示すように、ＯＬＥＤは、ＯＬＥＤ画面６１０上に画像を表示できるように固体半導体のマトリックスとして形成することができる。この基板は、高可撓性プラスチックおよび／または金属箔を用いて形成してもよい。
【００２６】
図示するように、ケース６２０は、この例では６インチを超える幅を有し、一方、ＯＬＥＤ画面６１０は、６インチの幅を有する。この寸法は、垂直軸に巻き付ける必要なくＯＬＥＤ画面６１０をケース６２０の内側に納めることを可能にする。ＯＬＥＤ画面６１０は、ＯＬＥＤを含む折畳んだまたは巻かれた基板を取り出すことによって上方へ（例えば、鉛直方向に）広げることができる。ＯＬＥＤ画面６１０は、ケース６２０の高さ（２インチ未満として例示されている）よりも大きいある距離（６インチを超えるものとして例示されている）にわたって広がることができる。ケース６２０は、拡張可能なＯＬＥＤ画面を支持するフレーム６４０のセグメントを、引き込まれたときに内部に納めることができるコンパートメント６３０を与えるように構成することができる。
【００２７】
図７は、本開示により構成される、折畳み式携帯ディスプレイの別の実施形態の正面図である。いくつかの実施形態では、ＦＰＤ７００は、ボタンを含むことができる正面を備えることができる。アップボタン７１０を作動して、ＦＰＤ７００のケースから上方外側へ広がるように構成され得る（例えば、図１１に関連して下に示す）拡張可能なＯＬＥＤ画面の広がりをコントロールできる。ダウンボタン７２０を作動して、拡張可能なＯＬＥＤ画面をＦＰＤ７００のケースの中に引き込むことをコントロールできる。このようにして、拡張可能なＯＬＥＤ画面は、アップボタン７１０およびダウンボタン７２０を用いて完全に広げた状態から完全に引き込まれた状態まで及ぶ範囲全体にわたって広げることおよび引き込むことができる。
【００２８】
図８は、本開示により構成される、図７に示す折畳み式携帯ディスプレイの側面図である。いくつかの実施形態では、ＦＰＤ８００は、ＦＰＤ８００の正面から外側へ突き出し得るアップボタン８１０およびダウンボタン８２０を含むことができる。ＦＰＤ８００のケース８３０は、コンパートメント８４０を含むことができ、このコンパートメント８４０は、ＯＬＥＤ画面を受け入れ、納めるように構成することができる。
【００２９】
図９は、本開示により構成される、図７に示す折畳み式携帯ディスプレイの上面図である。いくつかの実施形態では、ＦＰＤ９００は、ＦＰＤ９００の正面から外側へ突き出し得るボタン９４０を含むことができる。ＦＰＤの上部は、スロット９１０を含んでもよく、このスロット９１０から納めたＯＬＥＤを広げることができる。スロット９１０は、ＦＰＤのコンパートメント（および／またはケース）を自動的に密閉するように構成され得る摺動式の扉９２０を有してもよく、ＯＬＥＤ画面は、完全に引き込まれたときにこの中に納まることができる。摺動式の扉９２０は、納めたＯＬＥＤ画面を広げることを可能にするために開くように構成することができる。ＯＬＥＤ画面を完全に広げたとき、摺動式の扉９２０は、ＯＬＥＤ画面を完全に広げたときにスロット９１０を密封するように中間位置に戻るように動かすことができる。
【００３０】
図１０は、本開示により構成される、開いた状態にある図７に示す折畳み式携帯ディスプレイの側面図である。ＦＰＤ１０００は、広げた状態にあるＯＬＥＤ画面１０１０を示して例示されている。ＦＰＤ１０００は、画面が引き込まれた状態にあるときにＯＬＥＤ画面１０１０を納めるように構成することができるコンパートメント１０２０を含むことができる。いくつかの実施形態では、ＯＬＥＤ画面１０１０は、ＯＬＥＤ画面１０１０をコンパートメント１０２０に引き込むことができるように上下方向に伸縮する垂直セグメント１０３０を含むことができる。ＯＬＥＤ画面１０１０の垂直セグメント１０３０は、可撓性チタン合金を用いて作製することができ、この可撓性チタン合金は、ＯＬＥＤ画面を展開するのに適している剛性を与えることができ、しかも過度の力がＯＬＥＤ画面１０１０のフレームに加えられたときに、曲げによる破損から保護することもできる。
【００３１】
図１１は、本開示により構成される、開いた状態にある図７に示す折畳み式携帯ディスプレイの正面図である。ＯＬＥＤ画面１１１０は、ＦＰＤ１１００のケース１１２０から完全に広げられているものとして示す。いくつかの実施形態では、ＯＬＥＤ画面１１１０は、（図１に示すような）基板上に形成されるプラスチックＯＬＥＤの折畳み可能なシートを含むことができる。図１１に示すように、ＯＬＥＤは、ＯＬＥＤ画面１１１０上に画像を表示できるように固体半導体のマトリックスとして形成することができる。この基板は、高可撓性プラスチックおよび／または金属箔を用いて形成してもよい。
【００３２】
図示するように、ＯＬＥＤ画面１１１０は、この例では、ＯＬＥＤを含む（例えば）折畳んだまたは巻かれた基板を取り出すことによって、垂直方向に６インチを超えて広げることができる。ＯＬＥＤ画面１１１０は、ＯＬＥＤ画面１１１０の左右の縁部に沿った垂直セグメント１１３０を含むことができる。垂直セグメント１１３０は、ＯＬＥＤ画面１１１０をケース１１２０のコンパートメントに引き込むことができるように上下方向に伸縮するように構成することができる。
【００３３】
ケース１１２０は、ＯＬＥＤ画面１１１０よりも小さい幅を有してもよい。ＯＬＥＤ画面１１１０は、ＯＬＥＤ画面１１１０の上下の縁部に沿った水平セグメント１１４０を含んでもよい。水平セグメント１１４０は、ＯＬＥＤ画面１１１０をケース１１２０よりも広い範囲にわたって広げることができるように、横方向に伸縮するように構成されてもよい。したがって、ＯＬＥＤ画面１１１０が、ケース１１２０よりも広いものであり得るけれど、ＯＬＥＤ画面１１１０をケース１１２０の内側に納めることができる。
【００３４】
図１２は、本開示により構成される拡張可能な画面を展開するためのプロセスを概して示す動作流れ図である。プロセス１２００は、ブロック１２１０、１２２０、１２３０、１２４０、および／または１２５０として示す１つまたは複数の機能またはプロセス動作を含むことができる。ブロック１２１０では、コンピュータ装置の拡張可能なディスプレイを活動化させるための指令が、コンピュータ装置によって受信され得る。受信した指令は、コンピュータ装置のタッチ画面上の物理ボタンまたは仮想キーをユーザが活動化させるような物理的指令として生成することができる。受信した指令は、音声認識モジュールに結合したマイクロフォンへのユーザの発言と関連して生成することもできる。受信した指令は、赤外線コントローラなどのリモートコントローラから受信されてもよい。
【００３５】
ブロック１２２０では、コンピュータ装置は、動作１２１０において受信した指令に応答して、展開サイズへ拡張可能なディスプレイの画面を広げるための指令を生成することができる。この展開サイズは、拡張可能な画面が納まるコンピュータ装置のケースのサイズよりも大きいものであり得る。拡張可能なディスプレイは、第１の方向に沿ってコンピュータ装置から、第１の方向のコンピュータ装置の対応する長さよりも大きい長さへ広げることができる。例えば、拡張可能なディスプレイの展開サイズは、コンピュータ装置のケースの高さよりも高くすることができる。
【００３６】
拡張可能なディスプレイは、第１の方向に直交する第２の方向に沿ってコンピュータ装置から広げられてもよい。例えば、拡張可能なディスプレイの展開サイズは、コンピュータ装置のケースの幅よりも広くすることができる。
【００３７】
拡張可能なディスプレイの画面を広げるための生成した指令を実行してディスプレイを広げる。指令の実行は、拡張可能なディスプレイのフレームを繰り出すまたは伸縮するのを達成するために、モータ、ソレノイド、油圧弁および／または空気弁、ばね仕掛けの掛け金などを作動することを含み得る。
【００３８】
ブロック１２３０では、コンピュータ装置は、展開した画面上に表示するための画像を生成することができる。画像の生成は、展開した画面上に表示するために（映像を含む）画像をフォーマットすることを含むことができる。画像の生成は、展開した画面のＯＬＥＤを駆動するのに適している信号を生成することを含むこともできる。
【００３９】
ブロック１２４０では、コンピュータ装置の拡張可能なディスプレイを非活動化させるために、コンピュータ装置によって指令を受信することができる。受信した指令は、コンピュータ装置のタッチ画面上の物理ボタンまたは仮想キーをユーザが活動化させるような物理的指令として生成することができる。受信した指令は、リモートで生成することもできる。
【００４０】
ブロック１２５０では、コンピュータ装置は、動作１２４０において受信した指令に応答して展開した拡張可能なディスプレイを引き込むための指令を生成することができる。展開した拡張可能なディスプレイは、コンピュータ装置のケースの（空所または溝などの）コンパートメント内に引き込むことができる。拡張可能なディスプレイを引き込むのを達成するために、生成した指令を実行してモータ、ソレノイド、油圧弁および／または空気弁、ばね仕掛けの掛け金などを作動することができる。拡張可能なディスプレイを引き込むことは、拡張可能なディスプレイのＯＬＥＤフレームのセグメントを繰り出すおよび／または伸縮することを含むことができる。
【００４１】
図１３は、本開示により構成される、図１に示す拡張可能な画面を展開するように構成されるコンピュータ製品を概して示す図である。コンピュータプログラム製品１３００は、コンピュータ実行可能命令１３０４を有するコンピュータ可読媒体１３０２、記録可能媒体１３０６、通信媒体１３０８等などのいくつかの形態のうちの１つをとることができる。コンピュータ実行可能命令１３０４が実行されると、ある方法が実行される。命令１３０４は、コンピュータ装置の拡張可能なディスプレイを活動化させるための指令をコンピュータ装置で受信すること、第１の方向に沿ってコンピュータ装置からコンピュータ装置のケースの第１の方向の長さより大きい長さに拡張可能なディスプレイを広げること、拡張可能なディスプレイを非活動化させるための指令をコンピュータ装置で受信すること、およびコンピュータ装置の拡張可能なディスプレイを非活動化させ、第１の方向に沿って引き込むことをとりわけ含む。
【００４２】
本開示に鑑みて理解されるように、本明細書に記載のシステムおよび方法は、ユーザがこれまで利用できなかった、ディスプレイ装置の独特の利点をもたらす。本システムおよび方法は、ディスプレイを納めるために使用されている比較的小さいフォームファクタと比べて、比較的大きいフォームファクタのディスプレイをユーザが使用することを可能にすることができる。例えば、画面は、ディスプレイを納めるために使用されているケースの高さよりも高くすることができる。
【００４３】
別の態様では、拡張可能なディスプレイのための本記載のシステムおよび方法のいくつかの実施形態において、ディスプレイは第２の方向に広がることができ、これによって、ディスプレイを納めるために使用されている比較的小さいフォームファクタと比べて、さらに比較的より大きいフォームファクタのディスプレイとなり得る。例えば、画面は、ディスプレイを納めるために使用されているケースの高さおよび幅よりも高くおよび広くすることができる。
【００４４】
図１４は、本開示による折畳み式ディスプレイを展開するために構成されるコンピューティング装置１４００の一例を示すブロック図である。とても基本的な構成１４０１では、典型的には、コンピューティング装置１４００は、１つまたは複数のプロセッサ１４１０と、システムメモリ１４２０とを含む。メモリバス１４３０は、プロセッサ１４１０とシステムメモリ１４２０の間で通信するために使用することができる。
【００４５】
所望の構成に応じて、プロセッサ１４１０は、マイクロプロセッサ（μＰ）、マイクロコントローラ（μＣ）、デジタル信号プロセッサ（ＤＳＰ）、またはそれらの任意の組み合わせを含む任意の種類のものであってもよいが、これらに限定されない。プロセッサ１４１０は、一次キャッシュ１４１１および二次キャッシュ１４１２など、もう１つのレベルのキャッシュと、プロセッサコア１４１３と、レジスタ１４１４とを含むことができる。プロセッサコア１４１３は、演算論理装置（ＡＬＵ）、浮動小数点演算ユニット（ＦＰＵ）、デジタル信号処理コア（ＤＳＰコア）、またはそれらの任意の組み合わせを含むことができる。メモリコントローラ１４１５をプロセッサ１４１０と共に使用することもでき、または一部の実施では、メモリコントローラ１４１５は、プロセッサ１４１０の内部部品であり得る。
【００４６】
所望の構成に応じて、システムメモリ１４２０は、揮発性メモリ（ＲＡＭなど）、不揮発性メモリ（ＲＯＭ、フラッシュメモリ等など）、またはそれらの任意の組み合わせを含む任意の種類のものであってもよいが、これらに限定されない。典型的には、システムメモリ１４２０は、オペレーティングシステム１４２１、１つまたは複数のアプリケーション１４２２、およびプログラムデータ１４２４を含む。アプリケーション１４２２は、折畳み式ディスプレイを制御するように構成される折畳み式ディスプレイアルゴリズム１４２３を含んでもよい。プログラムデータ１４２４は、さらに上述したように折畳み式ディスプレイを動作させるのに有用である折畳み式ディスプレイデータ１４２５を含んでもよい。いくつかの実施形態では、アプリケーション１４２２は、汎用コンピュータ上で折畳み式ディスプレイの動作が容易になり得るように、オペレーティングシステム１４２１上でプログラムデータ１４２４を用いて動作するように配置されてもよい。説明したこの基本的な構成は、線１４０１内のそれらの構成要素によって、図１４に示される。
【００４７】
コンピューティング装置１４００は、追加の特徴または機能、基本的な構成１４０１と任意の必要な装置およびインタフェースとの間の通信を助けるための追加のインタフェースを有することができる。例えば、バス／インタフェースコントローラ１４４０は、記憶装置インタフェースバス１４４１を介して基本的な構成１４０１と１つまたは複数のデータ記憶装置１４５０の間の通信を助けるために使用することができる。データ記憶装置１４５０は、取外し式記憶装置１４５１、非取外し式記憶装置１４５２、またはそれらの組み合わせであってもよい。取外し式記憶装置および非取外し式記憶装置の例には、いくつか例を挙げると、フレキシブルディスクドライブおよびハードディスクドライブ（ＨＤＤ）などの磁気ディスク装置、コンパクトディスク（ＣＤ）ドライブまたはデジタル多用途ディスク（ＤＶＤ）ドライブなどの光ディスクドライブ、ソリッドステートドライブ（ＳＳＤ）、およびテープドライブが含まれる。コンピュータ記憶媒体の例には、コンピュータ可読命令、データ構造、プログラムモジュール、または他のデータなどの情報を記憶するための任意の方法または技術において実装される揮発性および不揮発性の取外し式および非取外し式媒体が含まれ得る。
【００４８】
システムメモリ１４２０、取外し式記憶装置１４５１、および非取外し式記憶装置１４５２は、いずれもコンピュータ記憶媒体の例である。コンピュータ記憶媒体（またはコンピュータ可読媒体）には、ＲＡＭ、ＲＯＭ、ＥＥＰＲＯＭ、フラッシュメモリ、もしくは他のメモリ技術、ＣＤ−ＲＯＭ、デジタル多用途ディスク（ＤＶＤ）、または他の光記憶装置、磁気カセット、磁気テープ、磁気ディスク記憶装置、もしくは他の磁気記憶装置、あるいは所望の情報を記憶するために使用できると共にコンピューティング装置１４００によってアクセスできる他の任意の媒体が含まれるが、これらに限定されない。そのような任意のコンピュータ記憶媒体は、装置１４００の一部であり得る。
【００４９】
コンピューティング装置１４００は、様々なインタフェース装置（例えば、出力インタフェース、周辺インタフェース、および通信インタフェース）からバス／インタフェースコントローラ１４４０を介して基本的な構成１４０１への通信を助けるためにインタフェースバス１４４２を備えることもできる。出力装置１４６０の例には、グラフィック処理装置１４６１および音声処理装置１４６２が含まれ、グラフィック処理装置１４６１および音声処理装置１４６２は、１つまたは複数のＡ／Ｖポート１４６３を介してディスプレイまたはスピーカなどの様々な外部装置と通信するように構成することができる。周辺インタフェース１４７０の例には、シリアルインタフェースコントローラ１４７１またはパラレルインタフェースコントローラ１４７２が含まれ、シリアルインタフェースコントローラ１４７１またはパラレルインタフェースコントローラ１４７２は、入力装置（例えば、キーボード、マウス、ペン、音声入力装置、タッチ入力装置等）、または他の周辺機器（例えば、プリンタ、スキャナなど）などの外部装置と１つまたは複数のＩ／Ｏポート１４７３を介して通信するように構成することができる。通信装置１４８０の例には、ネットワークコントローラ１４８１が含まれ、ネットワークコントローラ１４８１は、１つまたは複数の通信ポート１４８２を介してネットワーク通信上で１つまたは複数の他のコンピューティング装置１４９０と通信するのを助けるように配置することができる。通信接続は、通信媒体の一例である。典型的には、通信媒体は、搬送波または他の移送機構などの変調データ信号中のコンピュータ可読命令、データ構造、プログラムモジュール、または他のデータによって具体化することができ、任意の情報送達媒体を含む。「変調データ信号」は、信号特性のうちの１つまたは複数を、情報を信号に符号化するように設定または変更された信号であり得る。限定するものではない一例として、通信媒体は、有線ネットワークまたは直接配線接続などの有線媒体、および音響、高周波（ＲＦ）、赤外線（ＩＲ）、および他の無線媒体などの無線媒体を含み得る。本明細書において用いられる場合のコンピュータ可読媒体なる用語は、記憶媒体と通信媒体の両方を含み得る。
【００５０】
コンピューティング装置１４００は、携帯電話、携帯情報端末（ＰＤＡ）、パーソナルメディアプレイヤー装置、無線ウェブウォッチ装置（ｗｉｒｅｌｅｓｓ  ｗｅｂ−ｗａｔｃｈ  ｄｅｖｉｃｅ）、パーソナルヘッドセット装置、特定用途向け装置、または上記機能のうちのいずれかを含むハイブリッド装置などの小さいフォームファクタの携帯（またはモバイル）コンピュータの一部として実現することができる。コンピューティング装置１４００は、ラップトップコンピュータと非ラップトップコンピュータの両方の構成を含むパーソナルコンピュータとして実現することもできる。
【００５１】
当業者には、追加の利点および変更形態が容易に思い浮かぶであろう。したがって、幅広い態様において本発明は、本明細書に図示および記載の特定の詳細および代表的な実施形態に限定されない。よって、添付の特許請求の範囲およびそれと同等なものによって画定されるような全体的な本発明の概念の精神または範囲から逸脱することなく、様々な変更形態がなされ得る。
【００５２】
システムの態様に関してハードウェア実施とソフトウェア実施との間に区別はほとんどなく、ハードウェアまたはソフトウェアの使用は、（常にではないが、ある文脈において、ハードウェアとソフトウェアの間の選択が重要になり得るという点で）一般に、費用対効率のトレードオフを表す設計上の選択である。本明細書中に説明したプロセスおよび／またはシステムおよび／または他の技術を実行することができる（例えば、ハードウェア、ソフトウェア、および／またはファームウェア）様々な伝達手段があり、プロセスおよび／またはシステムおよび／または他の技術を導入する事情に応じて好ましい伝達手段は様々である。例えば、実施者が速度および精度が最も重要であると判断する場合、実施者は、主にハードウェアおよび／またはファームウェアの伝達手段を選択することができ、柔軟性が最も重要な場合、実施者は、主にソフトウェア実施を選択することができ、またはさらなる代替として、実施者は、ハードウェア、ソフトウェア、および／またはファームウェアのある組み合わせを選択することができる。
【００５３】
前述の詳細な説明では、ブロック図、流れ図、および／または例を用いることによって装置および／またはプロセスの様々な実施形態を説明してきた。そのようなブロック図、流れ図、および／または例が１つまたは複数の機能および／または動作を含む限りにおいて、そのようなブロック図、流れ図、または例内の各機能および／または動作は、広範囲のハードウェア、ソフトウェア、ファームウェア、またはこれらのほぼあらゆる組み合わせにより、個々におよび／または集合的に実施できることが当業者によって理解されよう。一実施形態では、本明細書に記載した主題のいくつかの部分は、特定用途向け集積回路（ＡＳＩＣ）、フィールドプログラマブルゲートアレイ（ＦＰＧＡ）、デジタル信号プロセッサ（ＤＳＰ）、または他の集積フォーマットによって実施することができる。しかし、本明細書に開示した実施形態のいくつかの態様は、全体的または部分的に、１つまたは複数のコンピュータで実行する１つまたは複数のコンピュータプログラムとして（例えば、１つまたは複数のコンピュータシステムで実行する１つまたは複数のプログラムとして）、１つまたは複数のプロセッサで実行する１つまたは複数のプログラムとして（例えば、１つまたは複数のマイクロプロセッサで実行する１つまたは複数のプログラムとして）、ファームウェアとして、あるいはこれらのほぼあらゆる組み合わせとして、集積回路に同等に実装することができ、本開示に鑑みて、回路を設計すること、ならびに／あるいはソフトウェアおよび／またはファームウェアのコードを記述することは、十分に当業者の技術の範囲内であることを当業者は認識するであろう。さらに、本明細書に記載した主題のメカニズムは、様々な形態のプログラム製品として配布可能であり、本明細書に記載した主題の例示的な一実施形態は、使用される特定のタイプの信号搬送媒体に関係なく、実際に配布を実行するために適用されることを当業者は理解するであろう。信号搬送媒体の例には、以下のもの、すなわち、フロッピディスク、ハードディスクドライブ、コンパクトディスク（ＣＤ）、デジタルビデオディスク（ＤＶＤ）、デジタルテープ、コンピュータメモリ等などの記録可能タイプ媒体、ならびにデジタルおよび／またはアナログ通信媒体（例えば、光ファイバケーブル、導波管、有線通信リンク、無線通信リンク等）などの伝送タイプ媒体が含まれるが、これらに限定されない。
【００５４】
本明細書に説明したように装置および／またはプロセスを記述し、その後、工学的手法を用いて説明したそのような装置および／またはプロセスをデータ処理システムに統合することが当分野では一般的であることを当業者は、認識するであろう。すなわち、本明細書中に説明した装置および／またはプロセスの少なくとも一部分は、十分な量の経験によってデータ処理システムに統合することができる。典型的なデータ処理システムは、一般に、システムユニットハウジング、映像表示装置、揮発性メモリおよび不揮発性メモリなどのメモリ、マイクロプロセッサおよびデジタル信号プロセッサなどのプロセッサ、オペレーティングシステム、ドライバ、グラフィカルユーザインタフェース、およびアプリケーションプログラムなどの計算実体、タッチパッドまたはタッチスクリーンなどの１つまたは複数の対話装置、ならびに／あるいはフィードバックループおよび制御モータ（例えば、位置および／または速度を感知するためのフィードバック、構成要素および／または数量を移動および／または調整するための制御モータ）を含む制御システムのうちの１つまたは複数を含むことを当業者は認識するであろう。典型的なデータ処理システムは、データ計算／通信システム、および／またはネットワーク計算／通信システムに典型的に見られるもののように、任意の適当な市販の構成要素を利用して実施することができる。
【００５５】
本明細書に記載した主題は、他の異なる構成要素内に含まれる異なる構成要素、または他の異なる構成要素に接続した異なる構成要素を示す場合がある。そのように示した構成は例示に過ぎず、実際には、同じ機能を達成する他の多くの構成を実施することができることを理解されたい。概念的な意味では、同じ機能を達成する構成要素の任意の構成が、所望の機能が達成されるように効率的に「関連付けられる」。したがって、特定の機能を達成するように結合された本明細書中の任意の２つの構成要素は、構成または中間構成要素に関係なく、所望の機能が達成されるように互いに「関連付けられている」ものとして見ることができる。同様に、そのように関連付けられた任意の２つの構成要素は、所望の機能を達成するために、互いに「動作可能に接続」または「動作可能に結合」されているものとして見ることもでき、そのように関連付けることが可能な任意の２つの構成要素は、所望の機能を達成するために、互いに「動作可能に結合可能」であるものとして見ることもできる。動作可能に結合可能な具体的な例には、物理的に対合可能であるおよび／または物理的に相互作用する構成要素、ならびに／あるいは無線で相互作用可能であるおよび／または無線で相互作用する構成要素、ならびに／あるいは論理的に相互作用するおよび／または論理的に相互作用可能な構成要素が含まれるが、これらに限定されない。
【００５６】
本明細書中の実質的にあらゆる複数形および／または単数形の用語の使用に関しては、当業者は、文脈および／または用途に合うように、複数形から単数形へおよび／または単数形から複数形へ変換することができる。種々の単数／複数の置換が、理解しやすいように本明細書に明示的に記載され得る。
【００５７】
一般に、本明細書中、特に添付の特許請求の範囲（例えば、添付の特許請求の範囲の本体部）中で使用する用語は、一般に、「オープン（ｏｐｅｎ）」な用語として意図される（例えば、用語「含む、備える（ｉｎｃｌｕｄｉｎｇ）」は、「を含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも〜を有する（ｈａｖｉｎｇ  ａｔ  ｌｅａｓｔ）」と解釈されるべきであり、用語「含む、備える（ｉｎｃｌｕｄｅｓ）」は、「を含むがそれに限定されない（ｉｎｃｌｕｄｅｓ  ｂｕｔ  ｉｓ  ｎｏｔ  ｌｉｍｉｔｅｄ  ｔｏ）」と解釈されるべきであるなど）ことが当業者によって理解されよう。さらに、クレームの記載の導入が特定の個数を意図する場合、そうした意図は、当該クレームにおいて明示的に記載され、そのような記載がない場合、そうした意図も存在しないことが当業者によって理解されよう。例えば、理解を助けるものとして、後述の添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」の使用を含んでクレームの記載を導入する場合がある。しかし、そうした句の使用は、同一のクレームが、導入句「１つまたは複数の」または「少なくとも１つの」、および単数表現などの不定冠詞を含むときでも、単数表現によるクレームの記載の導入が、そのようなクレームの記載の導入を含む任意の特定のクレームを、そのような記載事項をただ１つ含む発明に限定することを示唆していると解釈されるべきではない（例えば、単数表現は、「少なくとも１つの」または「１つまたは複数の」を意味すると典型的には解釈されるべきである）。同じことが、定冠詞を使用してクレームの記載を導入する場合にも当てはまる。加えて、クレームの記載の導入においてある特定の数が明示的に記載されている場合でも、そうした記載は、少なくとも記載した数を意味すると典型的には解釈されるべきであることが、当業者には理解されよう（例えば、他の修飾語を用いずに「２つの記載事項」をただ記載するときは、典型的には、少なくとも２つの記載事項、または２つ以上の記載事項を意味する）。さらに、「Ａ、ＢおよびＣなどのうち少なくとも１つ」に類する表記が使用されている場合には、一般に、そのような構成は、当業者がその表記を理解するであろう意味で意図される（例えば、「Ａ、ＢおよびＣのうち少なくとも１つを有するシステム」は、Ａのみ、Ｂのみ、Ｃのみ、ＡとＢの両方、ＡとＣの両方、ＢとＣの両方、および／またはＡとＢとＣとを全て、などを有するシステムを含むが、これらに限定されるものではない）。「Ａ、ＢおよびＣなどのうち少なくとも１つ」に類する表記が使用されている場合には、一般に、そのような構成は、当業者がその表記を理解するであろう意味で意図される（例えば、「Ａ、ＢおよびＣのうち少なくとも１つを有するシステム」は、Ａのみ、Ｂのみ、Ｃのみ、ＡとＢの両方、ＡとＣの両方、ＢとＣの両方、および／またはＡとＢとＣとを全て、などを有するシステムを含むが、これらに限定されるものではない）。さらに、２つ以上の択一的用語を表す実質的にあらゆる離接語および／または離接句は、詳細な説明、特許請求の範囲、図面のどこにあっても、これら用語の一方（ｏｎｅ  ｏｆ  ｔｈｅ  ｔｅｒｍｓ）、これら用語のどちらか（ｅｉｔｈｅｒ  ｏｆ  ｔｈｅ  ｔｅｒｍｓ）、または両方の用語（ｂｏｔｈ  ｔｅｒｍｓ）を含む可能性を意図すると理解されるべきであることが、当業者には理解されよう。例えば、「Ａ」または「Ｂ」という句は、「Ａ」または「Ｂ」、あるいは「ＡかつＢ」の可能性を含むことが理解されよう。
【００５８】
本明細書中に様々な実施形態が開示されているが、当業者には他の態様および実施形態が明らかであろう。本明細書中に開示した様々な態様および実施形態は、例示のためのものであり、限定であることを意図しておらず、本来の範囲および精神は、添付の特許請求の範囲によって示される。
【図１】
0005674764.tif 000002
【図２】
0005674764.tif 000003
【図３】
0005674764.tif 000004
【図４】
0005674764.tif 000005
【図５】
0005674764.tif 000006
【図６】
0005674764.tif 000007
【図７】
0005674764.tif 000008
【図８】
0005674764.tif 000009
【図９】
0005674764.tif 000010
【図１０】
0005674764.tif 000011
【図１１】
0005674764.tif 000012
【図１２】
0005674764.tif 000013
【図１３】
0005674764.tif 000014
【図１４】
0005674764.tif 000015